(57)【要約】      （修正有）【課題】靴に自由に出し入れすることができる上、足部の姿勢を矯正することができるインソール構造を提供する。【解決手段】インソール構造は、インソール本体１を備える。インソール本体１は、適宜な厚さで柔軟性を備えたインソールを有する。インソール本体１は、前足部１１、土踏まず領域１２及び踵領域１３を有する。前足部１１には、足部の母指球に対応するように凹んで、母指球が当接される踏面部１１１が設けられる。踏面部の外方側には、外支持部１１２が接続される。外支持部の後方側には、側凹部１１３が接続される。外支持部１１２の厚さは、踏面部１１１の厚さより大きい。側凹部１１３及び踏面部１１１の深さは等しい。外支持部１１２の厚さは、インソール本体の厚さより小さい。【選択図】図１
0003211473.tif 000002
【実用新案登録請求の範囲】
【請求項１】
インソール本体を備えたインソール構造であって、
前記インソール本体は、適宜な厚さで柔軟性を備えたインソールを有し、
前記インソール本体は、前足部、土踏まず領域及び踵領域を有し、
前記前足部には、足部の母指球に対応するように凹んで、母指球が当接される踏面部が設けられ、
前記踏面部の外方側には、外支持部が接続され、
前記外支持部の後方側には、側凹部が接続され、
前記外支持部の厚さは、踏面部の厚さより大きく、
前記側凹部及び前記踏面部の深さは等しく、
前記外支持部の厚さは、前記インソール本体の厚さより小さいことを特徴とする、
インソール構造。
【請求項２】
前記外支持部は、前記踏面部と円滑に接続されて傾斜面が形成されていることを特徴とする請求項１に記載のインソール構造。
【請求項３】
前記前足部には、親指に対応し、前記踏面部と接続された親指収容部が設けられ、前記親指収容部は、親指に対応した形状で凹んでいることを特徴とする請求項１に記載のインソール構造。
【考案の詳細な説明】
【技術分野】
【０００１】
本考案は、インソール構造に関し、特に、靴に自由に出し入れすることができる上、足部の姿勢を矯正することができるインソール構造に関する。
【背景技術】
【０００２】
人の足部は、２６個の骨を有し、人が立つとき、第１中足骨の根元部と、第五中足骨の踵部と、踵骨との３点が支持点として用いられる。第１中足骨及び第５中足骨は、水平状態でなく、第１中足骨は第５中足骨より低く、高低が分布した３点によりアーチが形成されて体を支える。人の足部には一定のアーチが維持され、歩くときにクッション性があるため疲れにくい。靴は歩いたり走ったりするときに足を保護する基本的な履物であり、人の足は、体重の１〜２倍の重量を支えるため、人の骨、関節又は筋肉が怪我することを防ぐために、足を保護するインソールが靴中に必要であった。
【０００３】
現在市販されている靴の全てには、インソール（ライニング）が含まれる。インソールは、大きく２種類に分けられ、第１種は自ら取り出すことができるものであり、第２種は靴底に固定されて取り出すことができないものであり、それらの主な機能は適切な柔軟性により快適性を高めることにある。ところで、従来から市場に流通している交換可能又は靴の中に取付けることが可能な着脱自在のインソール２は平坦状のインソールであり（図６を参照する）、底層の材料には厚さ約３〜７ｍｍの発泡材料が用いられ、底層の上表面には表層が結合される。この表層は、網状通気性繊維、一般の生地、人工皮革又は皮革からなってもよい。上述したインソール２は、主に靴中のソフトライニングや、靴体と足部との間の大きすぎるスペーサ用のライニングとして用いられる。そのため、このようなインソール２は、前述した足部の３つの支持点で衝撃を和らげたり圧力を分散させたりするが、人の足部の前足部の横足弓に対する支持が無い。そのため、人が立ったり歩いたりするとき、体から加わる前足部の横足弓の圧力及び重量を、平らなインソールで支えたり衝撃を和らげたりすることはできず、依然として前足部の横足弓の弾性により支える必要があった。言い換えると、従来のインソール２では、前足部の横足弓を支えることができず、立ったり歩いたりするときに加わる前足部の圧力を低減させることはできなかった。このようなインソール２は、販売価格が安く、製造コストも安いが、人体工学的には足にとって好ましくない上、運動又は歩行の機能性を高めることもできなかった。
【０００４】
また、インソール構造は、足底の圧力板の高圧箇所を厚くして振動を低減し、高圧領域が受ける力を低減させることができるが、圧力を土踏まずへ伝えたりその他非踏面部で受けたりしても、足圧板は直ちに反応することができないため、長時間使用すると足部、筋膜を痛めてしまうことがあった。
【考案の概要】
【考案が解決しようとする課題】
【０００５】
本考案の目的は、靴に自由に出し入れすることができる上、足部の姿勢を矯正することができるインソール構造を提供することにある。
【課題を解決するための手段】
【０００６】
上記課題を解決するために、本考案の第１の形態によれば、インソール本体を備えたインソール構造であって、前記インソール本体は、適宜な厚さで柔軟性を備えたインソールを有し、前記インソール本体は、前足部、土踏まず領域及び踵領域を有し、前記前足部には、足部の母指球に対応するように凹んで、母指球が当接される踏面部が設けられ、前記踏面部の外方側には、外支持部が接続され、前記外支持部の後方側には、側凹部が接続され、前記外支持部の厚さは、踏面部の厚さより大きく、前記側凹部及び前記踏面部の深さは等しく、前記外支持部の厚さは、前記インソール本体の厚さより小さいことを特徴とするインソール構造を提供する。
【０００７】
前記外支持部は、前記踏面部と円滑に接続されて傾斜面が形成されていることが好ましい。
【０００８】
前記前足部には、親指に対応し、前記踏面部と接続された親指収容部が設けられ、前記親指収容部は、親指に対応した形状で凹んでいることが好ましい。
【考案の効果】
【０００９】
本考案のインソール構造は、従来の構造と比べ、以下（１）〜（４）の効果を有する。
（１）内側に凹んだ踏面部により、前足底を僅かに内側へ傾斜させて足底を内側へ矯正するため、地面で歩くときの応力がスムーズに伝わり、容易かつ楽になり、快適性が向上する。
（２）歩く際に生じる運動エネルギーの慣性が延びて抵抗力が減るため、疲労感を大幅に低減させることができる。
（３）内側に凹んだ踏面部により、前足底が僅かに内側へ傾斜しているため、足底を内側へ矯正することができ、腰椎への圧迫が減り、長時間立ち続けたときに痛くなることを防ぐことができる。
（４）インソール本体を靴中へ入れると、足裏を矯正することができる上、インソール本体が薄く軽くなり、容積が小さくなる。
【図面の簡単な説明】
【００１０】
【図１】図１は、本考案の一実施形態に係るインソール構造のインソール本体を示す斜視図である。
【図２】図２は、本考案の一実施形態に係るインソール構造のインソール本体を示す平面図である。
【図３】図３は、本考案の一実施形態に係るインソール構造のインソール本体に足部を組み合わせた状態の説明図である。
【図４】図４は、図２の線ａ−ａに沿った断面図である。
【図５】図５は、図２の線ｂ−ｂに沿った断面図である。
【図６】図６は、従来技術のインソール構造の断面図である。
【考案を実施するための形態】
【００１１】
本考案の技術手段及びそれにより達成可能な効果を、より完全かつ明白に開示するために、開示した添付の図面及び符号と併せて本考案を以下詳説する。
【００１２】
まず、図１〜図４を参照する。図１は、本考案の一実施形態に係るインソール構造のインソール本体を示す斜視図である。図２は、本考案の一実施形態に係るインソール構造のインソール本体を示す平面図である。図３は、本考案の一実施形態に係るインソール構造のインソール本体に足部を組み合わせた状態の説明図である。図４は、図２の線ａ−ａに沿った断面図である。図１〜図４に示すように、本考案の一実施形態に係るインソール構造は、少なくともインソール本体１から構成されてなる。
【００１３】
インソール本体１は、適宜な厚さで柔軟性を備えたインソールを有する。インソール本体１は、前足部１１、土踏まず領域１２及び踵領域１３を有する。前足部１１には、足部の母指球Ｔに対応するように凹んで、母指球Ｔが当接される踏面部１１１が設けられている。踏面部１１１の外方側には、外支持部１１２が接続されている。外支持部１１２の後方側には、側凹部１１３が接続されている。外支持部１１２の厚さは、踏面部１１１の厚さより大きい。側凹部１１３及び踏面部１１１の深さは等しく、外支持部１１２の厚さは、インソール本体１の厚さより小さい。
【００１４】
外支持部１１２は、踏面部１１１と円滑に接続されて傾斜面Ｓが形成されている。インソール本体１の前足部１１には、親指に対応し、踏面部１１１と接続された親指収容部１１４が設けられる。親指収容部１１４は、親指に対応した形状で凹んでいる。
【００１５】
図１〜図５を参照する。図１〜図５に示すように、本考案の一実施形態に係るインソール構造の機能が容易に理解できるように、まず、人が歩くときの足部の動作による応力の案内経路について説明する（矢印で示す）。図３に示すように、歩く動作では、まず、踵Ａが先に接地し、続いて足底Ｂが地面に接地し、足部を前方へ蹴り出すと、足部が高く持ち上げられるに従って踵が次第に高く持ち上げられ、接地箇所が足部の外側から前方へ伝わり、応力がａ１の矢印方向で、足底Ｂの小指Ｃの側部踏面（即ち、第１中足骨及び第５中足骨からなる横足弓とも称される）から伝わる。この踏面は、体重を支えながら、応力を伝える。応力がａ２の矢印方向で親指Ｄへ伝わると、応力が低い場所へ移動し、骨格位置へ向かってさらに前方でさらに低い場所の最低踏面（第１中足骨）へ伝わり、前進歩行して踵が高く上がるに従い、応力がａ３の矢印方向で伝わり、足が蹴り出されて親指Ｄが地面から離れて歩行動作が完了する。
【００１６】
人が快適に歩くには、応力が外側から内側へ伝わり、高い外側と低い内側との落差で応力が案内されなければならない。そのため、インソール本体１を製作する際、人体の足部の形状に応じて形成し、適宜な厚さで柔軟なインソール本体１を利用する。インソール本体１の前足部１１には、人体の足部の母指球Ｔに対応した箇所が凹み、母指球Ｔが当接される踏面部１１１が設けられる。踏面部１１１により人体足部の前足部が僅かに突出した母指球Ｔを支えることができるとともに、足の外側が外支持部１１２から僅かに突出し、前足部が僅かに内側に傾き、外支持部１１２が下方へ延びた側凹部１１３が足底の外側で受け、足の外側が下方へ沈むため、足裏全体が３点位置決め効果を有する。これにより、足が下方へ踏み込む垂直方向の力を受け、歩くときにかかる力が下向きに伝わり、応力がスムーズに伝わり、前足部が僅かに内側に傾斜する。同時に、踏面部１１１から外側へ向かう外支持部１１２は、前足部を上向きで支え、僅かに内側へ傾いた状態により、傾斜面Ｓが形成される。踵を持ち上げて側凹部１１３からの応力が傾斜面Ｓへ伝わり、傾斜面Ｓに体重がかかるとともに、応力が伝えられ、応力が親指へ伝わった後、蹴り出して地面から離れる。本実施形態のインソールは、効果的に足底を内側へ矯正し、正常又は外反した足底により足部にかかる圧力を低減し、足部の応力が案内経路に沿って容易に伝わり、運動エネルギーの慣性を延ばして抵抗力を減らすことができる。
【００１７】
上述した機能以外に、本考案の長所は、インソール本体１を靴に選択的に出し入れして使用し、使用し易い効果を得る。靴を履くとき、靴中にインソール本体１を随時出し入れする。勿論、各靴の形状又は靴に求められる機能の違いが本考案のインソール構造に影響を与えることはない。
【００１８】
また、履いている者が歩行する際、内側へ傾斜し、インソール本体１には、親指を支える親指収容部１１４が設けられてもよい。
【００１９】
上述したことから分かるように、本考案のインソール構造は、インソール本体１を組み合わせて使用すると、前足部が僅かに内側へ傾斜し、正常又は外反の足底が内側へ矯正されて正確な姿勢を保持することができるようになる。このように、応力が外側から内側へ伝わり、高い外側と低い内側との落差で応力が案内されるため、歩いたり、走ったり、ジャンプしたりする際、応力がスムーズに伝わるため、容易かつ楽に動かすことができる上、足部又は脊椎が怪我することを防ぐことができる。
【００２０】
上述したことから分かるように、本考案のインソール構造は、従来の構造と比べ、以下（１）〜（４）の長所を有する。
（１）内側に凹んだ踏面部により、前足底を僅かに内側へ傾斜させて足底を内側へ矯正するため、地面で歩くときの応力がスムーズに伝わり、容易かつ楽になり、快適性が向上する。
（２）歩く際に生じる運動エネルギーの慣性が延びて抵抗力が減るため、疲労感を大幅に低減させることができる。
（３）内側に凹んだ踏面部により、前足底が僅かに内側へ傾斜しているため、足底を内側へ矯正することができ、腰椎への圧迫が減り、長時間立ち続けたときに痛くなることを防ぐことができる。
（４）インソール本体を靴中へ入れると、足裏を矯正することができる上、インソール本体が薄く軽くなり、容積が小さくなる。
【符号の説明】
【００２１】
１  インソール本体
２  インソール
１１  前足部
１２  土踏まず領域
１３  踵領域
１１１  踏面部
１１２  外支持部
１１３  側凹部
１１４  親指収容部
Ａ  踵
Ｂ  足底
Ｃ  小指
Ｄ  親指
Ｓ  傾斜面
Ｔ  母指球
【図１】
0003211473.tif 000003
【図２】
0003211473.tif 000004
【図３】
0003211473.tif 000005
【図４】
0003211473.tif 000006
【図５】
0003211473.tif 000007
【図６】
0003211473.tif 000008